(57)【要約】【課題】フォークの歯間部における汚れを容易に十分除去することができるフォーク掃除具を提供する。【解決手段】本発明のフォーク掃除具１は、フォークの歯間部を掃除するためのものであって、一端側支持部２ａ及び他端側支持部２ｂからなる一対の支持部２と、この支持部２の間に張架された５〜１０の帯状部３と、を備えており、これらの帯状部３は、各帯状部３が所定間隔（例えば、２．５〜３．５ｍｍ）をあけつつ、隣り合う帯状部３の面同士が向き合うように並んで配されている。また、帯状部３の少なくとも１つは、ねじれた状態で支持部２の間に支持されていることが好ましい。【選択図】図１
2011224268.tif 000002
【特許請求の範囲】
【請求項１】
フォークの歯間部を掃除するためのフォーク掃除具であって、
一対の支持部と、
前記一対の支持部間に張架された５〜１０の帯状部と、を備えており、
前記帯状部は、各帯状部が所定間隔をあけつつ、隣り合う帯状部の面同士が向き合うように並んで配されていることを特徴とするフォーク掃除具。
【請求項２】
前記帯状部の少なくとも１つは、ねじれた状態で前記一対の支持部間に支持されている請求項１に記載のフォーク掃除具。
【請求項３】
前記帯状部の少なくとも１つは、１／４回転よりも少なくねじれている請求項２に記載のフォーク掃除具。
【請求項４】
前記帯状部は、織布又は不織布により形成されている請求項１乃至３のいずれかに記載のフォーク掃除具。
【発明の詳細な説明】
【技術分野】
【０００１】
本発明は、フォーク掃除具に関する。更に詳しくは、本発明は、フォークの歯間部における汚れを容易に十分除去することができるフォーク掃除具に関する。
【背景技術】
【０００２】
従来、フォーク等の洗浄具として、中央に穴が開いたスポンジとスポンジの間にネットが接合された台所用スポンジが提案されている（例えば、特許文献１参照）。
しかしながら、このような洗浄具を使用しても、フォーク歯間部の汚れの除去は必ずしも十分とは言えず、より除去性能の高いものが切望されていた。
【先行技術文献】
【特許文献】
【０００３】
【特許文献１】実開平５−９１５５５号公報
【発明の概要】
【発明が解決しようとする課題】
【０００４】
本発明は前記実情に鑑みてなされたものであり、フォーク歯間部における汚れを容易に十分除去することができるフォーク掃除具を提供することを目的とする。
【課題を解決するための手段】
【０００５】
本発明は以下のとおりである。
［１］フォークの歯間部を掃除するためのフォーク掃除具であって、
一対の支持部と、
前記一対の支持部間に張架された５〜１０の帯状部と、を備えており、
前記帯状部は、各帯状部が所定間隔をあけつつ、隣り合う帯状部の面同士が向き合うように並んで配されていることを特徴とするフォーク掃除具。
［２］前記帯状部の少なくとも１つは、ねじれた状態で前記一対の支持部間に支持されている前記［１］に記載のフォーク掃除具。
［３］前記帯状部の少なくとも１つは、１／４回転よりも少なくねじれている前記［２］に記載のフォーク掃除具。
［４］前記帯状部は、織布又は不織布により形成されている前記［１］乃至［３］のいずれかに記載のフォーク掃除具。
【発明の効果】
【０００６】
本発明のフォーク掃除具によれば、支持部間に張架された帯状部同士の間隙にフォークの歯を挿入し、フォークの歯間部と帯状部とを摺動させることにより、フォーク歯間部における汚れを容易に十分除去することができる。更には、５〜１０の帯状部を備えているため、帯状部同士の間隙にフォークの歯を挿入する際、正確な位置合わせをする必要が無く、簡単に汚れを除去することができる。
また、帯状部がねじれた状態で支持部に張架されている場合、帯状部とフォーク歯間部との接触面積が大きくなり、汚れの除去性能をより向上させることができる。
更に、帯状部が、織布又は不織布により形成されている場合、汚れの除去性能をより向上させることができる。
【図面の簡単な説明】
【０００７】
【図１】本発明の一実施形態のフォーク掃除具の斜視図である。
【図２】帯状部の構成を説明する模式図である。
【図３】本発明の他の実施形態のフォーク掃除具の斜視図である。
【図４】本発明の他の実施形態の正面図である。
【図５】図４におけるＸ−Ｘ’断面図である。
【図６】図４におけるＹ−Ｙ’断面図である。
【図７】ねじれた状態の帯状部を説明する模式図である。
【発明を実施するための形態】
【０００８】
以下、本発明について、図を参照しながら、実施態様を挙げて詳しく説明する。
本発明の一実施形態であるフォーク掃除具１は、図１に示すように、一対の支持部２と、一対の支持部間に張架された帯状部３と、を備える。
前記一対の支持部２（以下、単に「支持部２」ともいう。）は、一端側支持部２ａと、他端側支持部２ｂとからなる。これらの支持部２ａ、２ｂは、支柱部４に固定されている。尚、支持部２及び支柱部４は、帯状部３を張架することができるかぎり、それぞれ、その構造、大きさ、形状、材質等は特に限定されない。また、支持部２及び支柱部４は別体のものであってもよいし、一体成形されたものであってもよい。
【０００９】
前記帯状部３は、一対の支持部２の間に張架されており、且つ、各帯状部３が所定間隔をあけつつ、隣り合う帯状部の面同士が向き合うように並んで配されている。
この帯状部の数は５〜１０であり、好ましくは５〜８である。一般的なフォークの歯数は２〜５、即ち歯間部の数が１〜４であり、帯状部の数の方が歯間部の数よりも多く配されているため、フォーク掃除具１を用いる際には、フォークＦの歯間部と帯状部３との正確な位置合わせが必要無く、複数の歯間部の汚れを同時に且つ容易に除去することができる。
【００１０】
帯状部３の長さは特に限定されず、例えば、５０ｍｍ以上とすることが好ましく、より好ましくは５０〜５００ｍｍ、更に好ましくは１００〜３００ｍｍである。この長さが５０ｍｍ以上である場合、摺動距離を十分に確保でき、フォーク歯間部の汚れを効率よく除去することができる。
帯状部３の幅は特に限定されず、例えば、３０ｍｍ以上とすることが好ましく、より好ましくは３０〜８０ｍｍ、更に好ましくは４０〜６０ｍｍである。この幅が３０ｍｍ以上である場合、歯間部の汚れを効率よく除去することができる。
帯状部３の厚みは特に限定されず、例えば、５ｍｍ以下とすることが好ましく、より好ましくは０．１〜５ｍｍ、更に好ましくは０．５〜３ｍｍである。
【００１１】
帯状部３同士の間隔（Ｌ）は特に限定されず、帯状部３の厚みや使用するフォークＦの歯の幅に応じて適宜調整される。具体的には、この間隔は、５ｍｍ以下であることが好ましく、より好ましくは２〜４ｍｍ、更に好ましくは２．５〜３．５ｍｍである。この間隔が５ｍｍ以下である場合、帯状部同士の間隙にフォークの歯をスムーズに挿入することができる。
【００１２】
帯状部３の材質・形態は特に限定されないが、織布又は不織布により形成されていることが好ましい。帯状部３が織布又は不織布により形成されている場合、汚れが繊維に絡むことにより除去され、汚れの除去性能をより向上させることができる。
尚、この帯状部３には、自動車等の車輌に用いられていたシートベルトの廃材や鞄の廃材等を用いることもできる。
【００１３】
また、各帯状部３は、図２に示すように、支持部２に所定間隔で配設された棒状の係止部材２１により、１本の帯体３０を蛇行させた状態で係止することによって構成されている。
尚、帯体３０の各端部３１は、隣り合う係止部材２１及び支持部２の少なくとも一方に、公知の方法によって固定されている。
【００１４】
また、各帯状部３は、ねじれがない状態で支持部２によって平行に張架されているが、帯状部３の少なくとも１つは、ねじれた状態で支持部２の間に張架されていてもよい。特に、帯状部３の少なくとも１つは、１／４回転よりも少なくねじれているものとすることができる。帯状部３がねじれた状態で支持部に支持されている場合、帯状部とフォーク歯間部との接触面積が大きくなり、汚れの除去性能をより向上させることができる。
具体的には、図３〜図７に示すように、一対の支持部２と、一対の支持部間にねじれた状態で張架された帯状部３と、を備えるフォーク掃除具１０を挙げることができる。尚、図７は、ねじれた状態の帯状体３の模式図であり、図中の破線はねじれていない状態の帯状体を示している。
【００１５】
ここで、本実施形態のフォーク掃除具１の作用効果について説明する。
本実施形態のフォーク掃除具１を使用する際には、図１及び図３に示すように、フォークＦの歯をフォーク掃除具１における帯状部３同士の間隙に挿入する。即ち、帯状部３がフォークＦの歯間部に配されるように挿入する。この際、フォークＦの歯間の数（図では３つ）よりも、帯状部３の数（図では７つ）の方が多いため、フォーク歯間部と帯状部３との正確な位置合わせが必要無く、フォークＦを適当に帯状部３に挿入しても、フォークＦの各歯間部に帯状部３が容易に配される。
その後、フォークＦを図中の矢印の方向に繰り返し往復させる。この操作によって、フォークＦの歯間部と帯状部３とが摺動し、フォークＦの歯間部における汚れが容易に除去される。
【００１６】
＜他の実施形態＞
本発明は前記記述及び図面によって説明した実施形態に限定されるものではなく、例えば次のような実施形態も本発明の技術的範囲に含まれ、更に、下記以外にも要旨を逸脱しない範囲内で種々変更して実施することができる。
（１）前述の各実施形態における複数の帯状部３は、図２に示すように、１本の帯体３０を蛇行させた状態で係止部材２１により係止することによって構成されているが、５〜１０の帯状部３が形成される限り、前述の構成に限定されるものではない。具体的には、例えば、５〜１０の帯状部３は、複数本の帯体により別々に構成されていてもよい。
（２）また、各帯状部３の寸法（長さ、幅、及び厚み）は、全て同一である必要はなく、各々異なっていてもよい。
（３）更に、隣り合う帯状部同士の各間隔は、全て同一である必要はなく、各々異なっていてもよい。
【産業上の利用可能性】
【００１７】
本発明のフォーク掃除具は、フォーク歯間部における汚れを除去する掃除具として、広く利用される。
【符号の説明】
【００１８】
１、１０；フォーク掃除具、２；一対の支持部、２ａ；一端側支持部、２ｂ；他端側支持部、２１；係止部材、３；帯状部、３０；帯体、３１；端部、４；支柱部、Ｆ；フォーク。
【図１】
2011224268.tif 000003
【図２】
2011224268.tif 000004
【図３】
2011224268.tif 000005
【図４】
2011224268.tif 000006
【図５】
2011224268.tif 000007
【図６】
2011224268.tif 000008
【図７】
2011224268.tif 000009